(57)【要約】【課題】市区町村等の特定の地域にメッセージを一斉配信することが可能なメッセージ配信システム、制御装置、及びメッセージ配信方法を提供する。【解決手段】本発明に係るメッセージ配信システムは、無線エリアを管理する無線基地局と、無線エリアに在圏する端末装置に無線基地局を介してメッセージを配信する制御装置とを備えるメッセージ配信システムであって、制御装置は、無線エリアの代表位置に基づいて特定された地域を識別する地域識別情報と、無線エリアとを対応付けて記憶する記憶部と、メッセージと、メッセージの配信先である地域を識別する地域識別情報とを受信する受信部と、受信された地域識別情報に基づいて、地域識別情報に対応する無線エリアを特定する特定部と、特定された無線エリアに在圏する端末装置にメッセージを一斉配信する配信部とを備える。【選択図】図１
2008301412.tif 000002
【特許請求の範囲】
【請求項１】
無線エリアを管理する無線基地局と、前記無線エリアに在圏する端末装置に前記無線基地局を介してメッセージを配信する制御装置とを備えるメッセージ配信システムであって、
前記制御装置は、
前記無線エリアの代表位置に基づいて特定された地域を識別する地域識別情報と、前記無線エリアとを対応付けて記憶する記憶部と、
前記メッセージと、前記メッセージの配信先である前記地域を識別する前記地域識別情報とを受信する受信部と、
受信された前記地域識別情報に基づいて、前記地域識別情報に対応する前記無線エリアを特定する特定部と、
特定された前記無線エリアに在圏する前記端末装置に前記メッセージを一斉配信する配信部と
を備えることを特徴とするメッセージ配信システム。
【請求項２】
前記無線エリアは、前記無線基地局全体の無線領域であり、
前記記憶部は、前記無線基地局全体の無線領域を分割したセクタの中心位置と前記無線基地局の位置との数が、より多く含まれる前記地域を識別する前記地域識別情報と、前記無線基地局全体の無線領域とを対応付けて記憶する
ことを特徴とする請求項１に記載のメッセージ配信システム。
【請求項３】
前記無線エリアは、前記無線基地局全体の無線領域であり、
前記記憶部は、前記無線基地局全体の前記無線領域を分割したセクタの中心位置が含まれる前記地域を識別する前記地域識別情報と、前記無線基地局全体の無線領域とを対応付けて記憶する
ことを特徴とする請求項１に記載のメッセージ配信システム。
【請求項４】
前記無線エリアは、前記無線基地局全体の無線領域を分割したセクタであり、
前記記憶部は、前記セクタの中心位置が含まれる前記地域を識別する前記地域識別情報と、前記セクタとを対応付けて記憶する
ことを特徴とする請求項１に記載のメッセージ配信システム。
【請求項５】
前記無線エリアは、前記無線基地局全体の無線領域であり、
前記記憶部は、前記無線基地局の位置から所定距離の範囲内に少なくとも一部が含まれる前記地域を識別する前記地域識別情報と、前記無線基地局全体の無線領域とを対応付けて記憶する
ことを特徴とする請求項１に記載のメッセージ配信システム。
【請求項６】
前記無線エリアは、前記無線基地局全体の無線領域を分割したセクタであり、
前記記憶部は、前記セクタの中心位置から所定距離の範囲内に少なくとも一部が含まれる前記地域を識別する前記地域識別情報と、前記セクタとを対応付けて記憶する
ことを特徴とする請求項１に記載のメッセージ配信システム。
【請求項７】
無線エリアを管理する無線基地局と接続し、前記無線エリアに在圏する端末装置に前記無線基地局を介してメッセージを配信する制御装置であって、
前記無線エリアの代表位置に基づいて特定された地域を識別する地域識別情報と、前記無線エリアとを対応付けて記憶する記憶部と、
前記メッセージと、前記メッセージの配信先である前記地域を識別する前記地域識別情報とを受信する受信部と、
受信された前記地域識別情報に基づいて、前記地域識別情報に対応する前記無線エリアを特定する特定部と、
特定された前記無線エリアに在圏する前記端末装置に前記メッセージを一斉配信する配信部と
を備えることを特徴とする制御装置。
【請求項８】
無線エリアを管理する無線基地局と、前記無線エリアに在圏する端末装置に前記無線基地局を介してメッセージを配信する制御装置とを備えるメッセージ配信システムにおけるメッセージ配信方法であって、
前記制御装置が、前記無線エリアの代表位置に基づいて特定された地域を識別する地域識別情報と、前記無線エリアとを対応付けて記憶する記憶ステップと、
前記メッセージと、前記メッセージの配信先である前記地域を識別する前記地域識別情報とを受信する受信ステップと、
受信された前記地域識別情報に基づいて、前記地域識別情報に対応する前記無線エリアを特定する特定ステップと、
特定された前記無線エリアに在圏する前記端末装置に前記メッセージを一斉配信する配信ステップと
を含むことを特徴とするメッセージ配信方法。
【発明の詳細な説明】
【技術分野】
【０００１】
本発明は、無線エリアを管理する無線基地局を介して、無線エリアに在圏する端末装置にメッセージを配信するメッセージ配信システム、制御装置、メッセージ配信方法に関する。
【背景技術】
【０００２】
従来、地震・津波・大雨等の災害が発生した場合、当該災害に関する情報を固定電話等の端末装置に一斉配信するメッセージ配信システムが提案されている（例えば、特許文献１参照）。また、近年では、携帯電話等、携帯型の端末装置の普及が進み、多くの個人ユーザが端末装置を保有していることから、移動通信網を用いて、当該端末装置に災害に関する情報を配信する動きが高まっている。
【０００３】
移動通信網では、ある端末装置が、複数の無線基地局によって形成される無線エリアの中で、どの無線エリアに在圏しているかを把握するため、ＬＡＩ（Local Area Identifier）と呼ばれる無線エリアを識別する識別情報が規定されており、ＬＡＩと端末装置とを対応付けて、端末装置が在圏する無線エリアを管理している。また、かかる移動通信網では、ＬＡＩを用いて、特定の無線エリアに在圏する端末装置に対して、メッセージを一斉配信することが可能である。
【特許文献１】特開２００１−２８５５０９号公報
【発明の開示】
【発明が解決しようとする課題】
【０００４】
ここで、一般的に、災害が発生した場合、当該災害に関する情報は、中央官公庁や地方自治体等の行政機関から、その災害が発生した市区町村などの行政管理地域ごとに通知される。
【０００５】
しかしながら、上述した移動通信網において、ＬＡＩに対応する無線エリアは、市区町村等の行政管理地域を意識して設定されているものではなく、移動通信網上の交換機や無線基地局等の構成に基づいて設定されている。また、それぞれの無線基地局も、基本的に端末装置のカバレッジエリア（無線エリア）を適切に形成することを目的として配置されているため、市区町村等の行政管理地域に応じて配置されていない。
【０００６】
このような状況では、メッセージの配信者が、移動通信網を用いて、ある市区町村に在圏する端末装置に対してメッセージを一斉配信したい場合であっても、市区町村等の行政管理地域と無線エリアとが、別々の地域を対象に設定されているため、行政管理地域に対応する無線エリアを特定することができないという問題があった。
【０００７】
そこで、本発明は、上述した問題に鑑みてなされたものであり、市区町村等の特定の地域にメッセージを一斉配信することが可能なメッセージ配信システム、制御装置、及びメッセージ配信方法を提供することを目的とする。
【課題を解決するための手段】
【０００８】
上記目的を達成するため、本発明の第１の特徴は、無線エリアを管理する無線基地局と、前記無線エリア（無線領域であるセル又はセクタ）に在圏する端末装置に前記無線基地局を介してメッセージを配信する制御装置（サービス制御装置２００）とを備えるメッセージ配信システムであって、前記制御装置は、前記無線エリアの代表位置に基づいて特定された地域を識別する地域識別情報と、前記無線エリアとを対応付けて記憶する記憶部（エリア情報記憶部２１０）と、前記メッセージと、前記メッセージの配信先である前記地域を識別する前記地域識別情報とを受信する受信部（メッセージ配信要求信号受信部２２０）と、受信された前記地域識別情報に基づいて、前記地域識別情報に対応する前記無線エリアを特定する特定部（配信エリア特定部２４０）と、特定された前記無線エリアに在圏する前記端末装置に前記メッセージを一斉配信する配信部（メッセージ配信部２５０）とを備えることを要旨とするものである。
【０００９】
かかる特徴によれば、メッセージ配信システムは、無線エリアの代表位置に基づいて特定された地域を識別する地域識別情報と、無線エリアとを対応付けて記憶しており、メッセージと地域識別情報とを受信した際、地域識別情報に対応する無線エリアにメッセージを一斉配信する。
【００１０】
よって、メッセージ配信システムでは、メッセージの配信者が、行政管理地域毎に区分される地域にメッセージを配信する場合であっても、当該地域と対応付けられた無線エリアにメッセージを配信する、つまり、行政管理地域毎に区分される地域にメッセージを配信することができる。このように、かかる特徴によれば、行政管理地域等の特定の地域にメッセージを一斉配信することができる。
【００１１】
本発明の第２の特徴は、第１の特徴に係り、前記無線エリアは、前記無線基地局全体の無線領域であり、前記記憶部は、前記無線基地局全体の無線領域を分割したセクタの中心位置と前記無線基地局の位置との数が、より多く含まれる前記地域を識別する前記地域識別情報と、前記無線基地局全体の無線領域とを対応付けて記憶することを要旨とするものである。かかる特徴によれば、メッセージ配信システムでは、例えば、無線基地局全体の無線領域が複数の地域にまたがる場合、無線領域を分割したセクタの中心位置と、前記無線基地局の位置との数が、より多く含まれる地域を無線エリアとしてメッセージを配信する。従って、無線基地局全体の無線領域に対して、より正確に対応する地域に、メッセージを配信することができる。
【００１２】
本発明の第３の特徴は、第１の特徴に係り、前記無線エリアは、前記無線基地局全体の無線領域であり、前記記憶部は、前記無線基地局全体の前記無線領域を分割したセクタの中心位置が含まれる前記地域を識別する前記地域識別情報と、前記無線基地局全体の無線領域とを対応付けて記憶することを要旨とするものである。かかる特徴によれば、メッセージ配信システムでは、例えば、無線基地局全体の無線領域が複数の地域にまたがる場合、無線基地局全体の無線領域を分割したセクタの中心位置が含まれるいずれの地域にも、メッセージを配信する。従って、地域に対してより確実に無線エリアを網羅させ、メッセージを配信することができる。
【００１３】
本発明の第４の特徴は、第１の特徴に係り、前記無線エリアは、前記無線基地局全体の無線領域を分割したセクタであり、前記記憶部は、前記セクタの中心位置が含まれる前記地域を識別する前記地域識別情報と、前記セクタとを対応付けて記憶することを要旨とするものである。かかる特徴によれば、メッセージ配信システムでは、当該無線エリアをより細かく正確に地域と対応付けて、メッセージを配信することができる。
【００１４】
本発明の第５の特徴は、第１の特徴に係り、前記無線エリアは、前記無線基地局全体の無線領域であり、前記記憶部は、前記無線基地局の位置から所定距離の範囲内に少なくとも一部が含まれる前記地域を識別する前記地域識別情報と、前記無線基地局全体の無線領域とを対応付けて記憶することを要旨とするものである。
【００１５】
本発明の第６の特徴は、第１の特徴に係り、前記無線エリアは、前記無線基地局全体の無線領域を分割したセクタであり、前記記憶部は、前記セクタの中心位置から所定距離の範囲内に少なくとも一部が含まれる前記地域を識別する前記地域識別情報と、前記セクタとを対応付けて記憶することを要旨とするものである。
【００１６】
本発明の第７の特徴は、無線エリアを管理する無線基地局と接続し、前記無線エリアに在圏する端末装置に前記無線基地局を介してメッセージを配信する制御装置であって、前記無線エリアの代表位置に基づいて特定された地域を識別する地域識別情報と、前記無線エリアとを対応付けて記憶する記憶部と、前記メッセージと、前記メッセージの配信先である前記地域を識別する前記地域識別情報とを受信する受信部と、受信された前記地域識別情報に基づいて、前記地域識別情報に対応する前記無線エリアを特定する特定部と、特定された前記無線エリアに在圏する前記端末装置に前記メッセージを一斉配信する配信部とを備えることを要旨とするものである。
【００１７】
本発明の第８の特徴は、無線エリアを管理する無線基地局と、前記無線エリアに在圏する端末装置に前記無線基地局を介してメッセージを配信する制御装置とを備えるメッセージ配信システムにおけるメッセージ配信方法であって、前記制御装置が、前記無線エリアの代表位置に基づいて特定された地域を識別する地域識別情報と、前記無線エリアとを対応付けて記憶する記憶ステップと、前記メッセージと、前記メッセージの配信先である前記地域を識別する前記地域識別情報とを受信する受信ステップと、受信された前記地域識別情報に基づいて、前記地域識別情報に対応する前記無線エリアを特定する特定ステップと、特定された前記無線エリアに在圏する前記端末装置に前記メッセージを一斉配信する配信ステップとを含むことを要旨とするものである。
【発明の効果】
【００１８】
本発明によると、移動通信網を用いて、市区町村等の特定の地域にメッセージを一斉配信することが可能なメッセージ配信システム、制御装置、及びメッセージ配信方法を提供することができる。
【発明を実施するための最良の形態】
【００１９】
図面を参照して、本発明の実施の形態を説明する。以下の図面の記載において、同一又は類似の部分には、同一又は類似の符号を付している。ただし、図面は模式的なものであることに留意すべきである。
【００２０】
［第１実施形態］
（メッセージ配信システムの構成）
本発明の第１実施形態に係るメッセージ配信システム１の構成について説明する。図１は、本実施形態に係るメッセージ配信システム１の構成を示す概略図である。図１に示すように、本実施形態に係るメッセージ配信システム１は、配信装置１００と、サービス制御装置２００と、端末装置１０_１乃至１０_ｎ（ｎは自然数）と、無線基地局２０_1乃至２０_ｍ（ｍは自然数）とを備える。なお、本実施形態に係るメッセージ配信システム１において、サービス制御装置２００と、無線基地局２０_1乃至２０_ｍとは、移動通信網を想定している。
【００２１】
配信装置１００は、メッセージの配信者となるユーザによって操作されるキーボード等のユーザインターフェースを介して、メッセージの配信先と、メッセージの本文とを受け付ける。ここで、本実施形態において、メッセージは、例えば、災害等が発生した際に、端末装置１０_１乃至１０_ｎのユーザに対して災害に関する情報を通知するための情報である。また、配信先は、市区町村等の行政管理地域とする。配信装置１００は、受け付けたメッセージをサービス制御装置２００に送信する。
【００２２】
サービス制御装置２００は、配信装置１００からメッセージを受信すると、配信先として受け付けた行政管理地域に対応する無線エリアに在圏する端末装置１０_１乃至１０_ｎに無線基地局２０_1乃至２０_ｍを介してメッセージを配信する。なお、本実施形態において、サービス制御装置２００は、無線基地局を介してメッセージを配信する制御装置を構成する。
【００２３】
無線基地局２０_1乃至２０_ｍは、無全基地局全体の無線領域を示すセル、当該無線領域を分割したセクタ等の無線エリアを管理しており、セル、セクタに在圏する端末装置１０との間で無線信号を用いて通信する。また、無線基地局２０_1乃至２０_ｍは、一斉配信部２０ａを備える。一斉配信部２０ａは、サービス制御装置２００から、メッセージを受信すると、無線エリアに在圏する端末装置１０に対して、受信したメッセージを一斉配信（マルチキャスト配信）する。この時、一斉配信部２０ａは、例えば、端末装置１０によって待受状態で監視している一斉呼び出しチャネル（ページングチャネル）を用いて、メッセージを一斉配信する。なお、本実施形態では、無線基地局２０_1乃至２０_ｍを識別する識別情報を、それぞれ“ＢＳ１乃至ＢＳｍ”として説明する。また、本実施形態において、無線基地局２０_1乃至２０_ｍを、無線基地局２０として適宜説明する。
【００２４】
端末装置１０_１乃至１０_ｎは、無線基地局２０と無線信号を用いて通信する。また、端末装置１０_１乃至１０_ｎは、無線基地局２０から一斉送信されるメッセージを受信する。なお、本実施形態において、端末装置１０_１乃至１０_ｎを端末装置１０として適宜説明する。また、本実施形態において、端末装置１０は、携帯電話機、ＰＤＡ（Ｐｅｒｓｏｎａｌ Ｄｅｇｉｔａｌ Ａｓｓｉｓｔａｎｔ）、ノート型コンピュータなどのモバイル機器を想定している。
【００２５】
（配信装置の構成）
上述した配信装置１００の構成について具体的に説明する。図１に示すように、配信装置１００は、エリア受付部１１０と、メッセージ配信要求信号送信部１２０とを備える。
【００２６】
エリア受付部１１０は、配信元ユーザがユーザインターフェースを操作して入力した地域をメッセージの配信先として受け付ける。例えば、エリア受付部１１０は、Ｗｅｂ画面のチェックボックス選択等の機能を用いて、配信元ユーザによってＡ市へメッセージを送りたい旨を受け付けた場合、Ａ市を識別する地域識別情報として“００００１”を設定し、メッセージ配信要求信号送信部１２０に出力する。
【００２７】
メッセージ配信要求信号送信部１２０は、配信元ユーザがユーザインターフェースを操作して入力したメッセージの本文を受け付ける。また、メッセージ配信要求信号送信部１２０は、エリア受付部１１０から入力した地域識別情報と、メッセージの本文とを含むメッセージ配信要求信号を生成し、サービス制御装置２００へ送信する。
【００２８】
（サービス制御装置の構成）
次に、上述したサービス制御装置２００の構成について具体的に説明する。図１に示すように、サービス制御装置２００は、エリア情報記憶部２１０と、メッセージ配信要求信号受信部２２０と、配信エリア解析部２３０、配信エリア特定部２４０と、メッセージ配信部２５０とを備える。
【００２９】
エリア情報記憶部２１０は、図２に示すように、地域を識別する地域識別情報と、無線エリアとを対応付けて記憶する。なお、本実施形態において、無線エリアは、一の無線基地局２０全体の無線領域（セル）とする。具体的に、エリア情報記憶部２１０は、図２に示すように、市区町村等の行政管理地域である地域を識別する地域識別情報と、無線基地局２０を識別する無線基地局識別情報とを対応付けて記憶する。ここで、本実施形態において、無線エリアは、一の無線基地局２０が形成する無線領域であり、無線基地局識別情報は、当該無線エリアを識別する識別情報である。エリア情報記憶部２１０に記憶されている地域識別情報と無線基地局識別情報とは、所定の設定方法によって対応付けられて記憶されている。なお、当該設定方法については、詳細を後述する。本実施形態において、エリア情報記憶部２１０は、地域識別情報と、無線エリアとを対応付けて記憶する記憶部を構成する。
【００３０】
メッセージ配信要求信号受信部２２０は、配信装置１００と接続し、当該配信装置１００から、メッセージと、メッセージの配信先である地域を識別する地域識別情報とを含むメッセージ配信要求信号を受信する。なお、本実施形態において、メッセージ配信要求信号受信部２２０は、メッセージと地域識別情報とを受信する受信部を構成する。
【００３１】
配信エリア解析部２３０は、メッセージ配信要求信号受信部２２０によってメッセージ配信要求信号が受信されると、メッセージ配信要求信号から、メッセージの本文と、地域識別情報とを抽出し、配信エリア特定部２４０に出力する。
【００３２】
配信エリア特定部２４０は、メッセージ配信要求信号受信部２２０によって受信された地域識別情報に基づいて、地域識別情報に対応する無線エリアを特定する。具体的に、配信エリア特定部２４０は、配信エリア解析部２３０から、メッセージの本文と地域識別情報とを入力すると、エリア情報記憶部２１０を参照し、地域識別情報に対応付けて記憶されている無線基地局識別情報を特定する。図２を例に挙げると、例えば、配信エリア特定部２４０は、配信エリア解析部２３０から地域識別情報として“００００１”が出力されると、当該“００００１”に対応付けて記憶されている無線基地局識別情報“ＢＳ１”と“ＢＳ２”と“ＢＳ３”とを特定する。
【００３３】
このように、配信エリア特定部２４０は、地域識別情報に基づいて、無線基地局識別情報を特定することによって、メッセージを配信する無線エリアを特定する。また、配信エリア特定部２４０は、特定した無線基地局識別情報と、メッセージの本文とをメッセージ配信部２５０に出力する。なお、本実施形態において、配信エリア特定部２４０は、地域識別情報に対応する無線エリアを特定する特定部を構成する。
【００３４】
メッセージ配信部２５０は、配信エリア特定部２４０によって特定された無線エリアに在圏する端末装置１０にメッセージを一斉配信する。
【００３５】
具体的に、メッセージ配信部２５０は、配信エリア特定部２４０から、無線基地局識別情報とメッセージの本文とを入力し、当該無線基地局識別情報に対応する無線基地局２０に、メッセージを一斉配信するように指示する。なお、本実施形態において、メッセージ配信部２５０は、メッセージを一斉配信する配信部を構成する。
【００３６】
（エリア情報記憶部に記憶される地域識別情報と無線エリアとの対応付け方法）
次に、図３乃至７を参照してエリア情報記憶部２１０に記憶される情報の設定方法について説明する。図３には、地域を示すＡ市及びＢ市と、無線基地局２０_１乃至２０_７によって形成される無線エリアと、当該無線エリアに在圏する端末装置１０のイメージが示されている。ここでは、図３に示すように、地域を示すＡ乃至Ｂ市を識別する地域識別情報と、Ａ乃至Ｂ市内に含まれている無線基地局２０_１乃至２０_７とを、対応付ける設定方法について、説明する。なお、無線基地局２０_３は、Ａ市とＢ市とに跨って配置されていることとする。また、本実施形態では、地域を示すＡ市を識別する地域識別情報を“００００１”とし、Ｂ市を識別する地域識別情報を“００００２”として説明する。
【００３７】
本実施形態に係る無線基地局２０の無線範囲は、複数のセクタによって分割されている。ここで、まず、無線基地局２０の一のセクタにおける中心位置の算出方法について説明する。
【００３８】
図４は、無線基地局２０の物理的構成図及びビーム照射を示す図である。図４において、“ｈ”は、アンテナ高を示し、“φ”は、水平面（以下、ＸＹ平面）からどれだけZ軸方向へ照射するビームの角度（以下、チルト角）をそれぞれ示す。また、地表面が、ＸＹ平面と理想的に平行に形成されているとすると、当該ビームによって形成されるセクタの半径“ｒ”は、下記（１）式によって示される。
【数１】
2008301412.tif 000003
【００３９】
また、図５は、図４で示した図において、Ｚ軸方向にＸＹ平面を見た図である。図５に示すように、無線基地局２０のアンテナから照射されるビームは、ＸＹ平面上に対して、アンテナの開き角２θの角度の範囲に照射されている。また、θが、１８０°未満である場合、ＸＹ平面状に照射されるビームの範囲の形状は、扇形になる。（１）式によって算出されたセクタ半径ｒを用いて、ＸＹ平面上でのセクタの中心位置と、無線基地局２０との間の距離ｇは、下記（２）式によって示される。
【数２】
2008301412.tif 000004
【００４０】
また、図６には、図５におけるＸＹ平面を、緯度経度平面で表した場合の図である。図６において、αは、真北（Ｙ軸方向）を基準として、時計回り方向のアンテナの指向性を示す角度（以下、アンテナ方向角）である。また、Ｌｎｇ０は、無線基地局２０の設置位置の経度を示し、Ｌａｔ０は、無線基地局２０の設置位置の緯度を示す。（２）式によって算出された、セクタの中心位置と無線基地局２０の設置位置との間の距離ｇを用いて、セクタの中心位置を示す緯度Ｌｎｇ１及び経度Ｌａｔ１は、下記（３）式によって示される。
【数３】
2008301412.tif 000005
【００４１】
以上のようにして、無線基地局２０及びアンテナの物理的構成、及び電気的構成に関する情報と、無線基地局２０の設置位置の情報とに基づいて、無線基地局２０の各セクタの中心位置を算出できる。
【００４２】
また、図７には、図３における無線基地局２０_３の拡大図が示されている。なお、ここでは、無線基地局２０_３が、アンテナの開き角６０°であり、当該アンテナから照射されるビームによって形成されるセクタを６個有することとする。図７に示すように、無線基地局２０_３では、その無線領域内において、Ａ市とＢ市との市区町村の境界線Ｌが存在する。つまり、無線基地局２０_３の無線領域は、Ａ市とＢ市とに跨っている。エリア情報記憶部２１０では、このような無線基地局２０_３については、セクタ中心位置００１乃至００６と、無線基地局２０_３の位置との計７つの位置を代表位置とし、当該代表位置に基づいて、無線基地局２０_３と対応付けるＡ市又はＢ市を特定すると共に、特定したＡ市又はＢ市と無線基地局２０_３とを対応付けて記憶する。具体的に、エリア情報記憶部２１０では、セクタ中心位置００１乃至００６と、無線基地局２０_３の位置との７つの位置の内、より多くの位置が含まれる方のＡ市又はＢ市と、無線基地局２０_３とを対応付ける。例えば、図７を例に挙げると、エリア情報記憶部２１０では、セクタ中心位置００１乃至００３、００６と、無線基地局２０_３の位置とが含まれるＡ市の地域識別情報“００００１”と、無線基地局２０_３の基地局識別情報ＢＳ３とが対応付けて記憶される。
【００４３】
このようにして、本実施形態に係るエリア情報記憶部２１０では、無線基地局２０の無線エリアの代表位置に基づいて特定された地域を識別する地域識別情報と、当該無線基地局２０の無線基地局識別情報（無線エリアの識別情報）とを対応付けて記憶する。また、エリア情報記憶部２１０では、ある無線基地局２０全体の無線領域を分割したセクタの中心位置と、無線基地局２０の位置との数が、より多く含まれる地域を識別する地域識別情報と、当該無線基地局２０の無線基地局識別情報とを対応付けて記憶する。
【００４４】
（メッセージ配信システムの動作）
次に、上述する構成のメッセージ配信システム１の動作について、図８を参照して説明する。
【００４５】
ステップＳ１０１において、サービス制御装置２００では、エリア情報記憶部２１０において、市区町村等の行政管理地域を識別する地域識別情報と、無線基地局２０の無線領域を識別する無線基地局識別情報とを対応付けて記憶する。サービス制御装置２００に記憶される情報は、ユーザ操作によって入力されてもよい。
【００４６】
ステップＳ１０２において、配信装置１００では、エリア受付部１１０が、配信元ユーザの入力操作から、メッセージの配信先を受け付ける。また、メッセージ配信要求信号送信部１２０は、配信元ユーザの入力操作から、メッセージの本文を受け付ける。
【００４７】
ステップＳ１０３において、メッセージ配信要求信号送信部１２０は、メッセージの配信先の地域を識別する地域識別情報と、メッセージ本文とを含むメッセージ配信要求信号を生成し、サービス制御装置２００に送信する。また、ステップＳ１０４において、サービス制御装置２００では、メッセージ配信要求信号受信部２２０が、当該メッセージ配信要求信号を受信する。
【００４８】
ステップＳ１０５において、配信エリア解析部２３０は、メッセージ配信要求信号受信部２２０によって受信されたメッセージ配信要求信号から、地域識別情報と、メッセージ本文とを抽出し、配信エリア特定部２４０に出力する。
【００４９】
ステップＳ１０６において、配信エリア特定部２４０は、地域識別情報と、メッセージ本文とを入力する。また、配信エリア特定部２４０は、エリア情報記憶部２１０を参照して、地域識別情報に対応付けて記憶されている無線基地局識別情報を特定し、当該無線基地局識別情報に対応する無線基地局２０の無線領域を無線エリアとして特定する。また、配信エリア特定部２４０は、無線基地局識別情報とメッセージ本文とを、メッセージ配信部２５０に出力する。
【００５０】
ステップＳ１０７において、メッセージ配信部２５０は、無線基地局識別情報とメッセージ本文とを入力する。また、メッセージ配信部２５０は、無線基地局識別情報に対応する無線基地局２０にメッセージを一斉配信するように指示する。この指示を受けた無線基地局２０では、一斉配信部２０ａが、無線領域に在圏する端末装置１０に対して、メッセージを一斉配信する。
【００５１】
（作用及び効果）
以上説明したように、メッセージ配信システム１では、エリア情報記憶部２１０が、無線基地局２０の無線領域（無線エリア）の代表位置に基づいて特定された地域を識別する地域識別情報と、無線エリアとを対応付けて記憶している。また、サービス制御装置２００は、配信装置１００から、メッセージと地域識別情報とを受信した際、地域識別情報に対応する無線エリアにメッセージを一斉配信する。
【００５２】
このように、本実施形態に係るメッセージ配信システム１では、配信元ユーザが、行政管理地域毎に区分される地域にメッセージを配信する場合であっても、当該地域と対応付けられた無線エリアにメッセージを配信する、つまり、行政管理地域毎に区分される地域にメッセージを配信することができる。このように、本実施形態に係るメッセージ配信システム１によれば、行政管理地域等の特定の地域にメッセージを一斉配信することができる。
【００５３】
また、メッセージ配信システム１では、例えば、無線基地局２０全体の無線領域が複数の地域（例えば、Ａ市とＢ市）にまたがる場合、無線領域を分割したセクタの中心位置と、無線基地局２０の位置との数が、より多く含まれる地域を無線エリアとしてメッセージを配信する。従って、無線基地局２０全体の無線領域に対応する地域をより正確に特定し、メッセージを配信することができる。
【００５４】
［第２実施形態］
本発明の第２実施形態に係るメッセージ配信システム１の構成について、第１実施形態との相違点に着目して説明する。本実施形態では、エリア情報記憶部２１０に記憶される地域識別情報とエリア情報との対応付ける際の設定方法が、第１実施形態に係るエリア情報記憶部２１０と異なる。
【００５５】
第１実施形態に係るエリア情報記憶部２１０では、無線基地局２０全体の無線領域を分割したセクタの中心位置と、無線基地局２０の位置との数が、より多く含まれる地域を識別する地域識別情報と、無線基地局２０全体の無線領域とを対応付けて記憶するように構成されていたが、本実施形態に係るエリア情報記憶部２１０では、無線基地局２０全体の無線領域を分割したセクタの中心位置が含まれる地域を識別する地域識別情報と、無線基地局２０全体の無線領域とを対応付けて記憶する。
【００５６】
具体的に、エリア情報記憶部２１０では、複数のセクタ中心位置と、無線基地局２０の位置の内、いずれか一つの位置が含まれる地域を特定して、特定した地域を識別する地域識別情報と、無線基地局識別情報とを対応付けて記憶する。例えば、図７を例に挙げると、エリア情報記憶部２１０では、セクタ中心位置００１乃至００３、００６と、無線基地局２０_３の位置とが含まれるＡ市の地域識別情報“００００１”と、無線基地局２０_３の無線基地局識別情報“ＢＳ３”とが対応付けて記憶される。さらに、エリア情報記憶部２１０では、セクタ中心位置００４乃至００５の位置とが含まれるＢ市の地域識別情報“００００２”と、無線基地局２０_３の無線基地局識別情報“ＢＳ３”とが対応付けて記憶される。このようにして、エリア情報記憶部２１０には、図９に示すように、Ａ市の地域識別情報“００００１”とＢ市の地域識別情報“００００２”とのいずれにも、無線基地局２０_３の無線基地局識別情報“ＢＳ３”が対応付けて記憶される。
【００５７】
（作用及び効果）
本実施形態に係るメッセージ配信システム１によれば、例えば、一の無線基地局２０の無線領域が複数の地域にまたがる場合、無線基地局２０の無線領域を分割したセクタの中心位置が含まれるいずれの地域も、無線基地局２０の無線エリアとしてメッセージを配信する。従って、地域をより確実に網羅してメッセージを配信することができる。
【００５８】
（第２実施形態に係る変形例）
本発明は、上述した実施形態に限定されるものではなく、種々の変更が可能である。例えば、エリア情報記憶部２１０は、無線基地局２０の位置から所定距離に少なくとも一部が含まれる地域を識別する地域識別情報と、無線基地局２０全体の無線領域とを対応付けて記憶するように構成されていてもよい。具体的に、エリア情報記憶部２１０は、無線基地局２０の位置（Ｌｎｇ０、Ｌａｔ０）から、予め規定される距離Ｒ（所定距離）の範囲内に少なくとも一部が含まれる地域の地域識別情報と、無線基地局２０とを対応づけて記憶する。
【００５９】
例えば、図１０に示すように無線基地局２０_３が存在する場合、本実施形態に係るエリア情報記憶部２１０では、無線基地局２０_３の位置（Ｌｎｇ０、Ｌａｔ０）から距離Ｒの範囲内に少なくとも一部が含まれるＡ市の地域識別情報“００００１”と、Ｂ市の地域識別情報“００００２”と、無線基地局２０_３の無線基地局識別情報“ＢＳ３”とが対応付けて記憶される。また、エリア情報記憶部２１０では、他の無線基地局２０についても、無線基地局識別情報と、無線基地局２０から距離Ｒの範囲内に少なくとも一部が含まれるＡ市又はＢ市の地域識別情報とが対応付けて記憶される。
【００６０】
なお、上述した距離Ｒは、無線基地局２０が設けられている地域の「人口密度」等の地域条件に基づいて算出されるように構成されていてもよい。例えば、下記（４）式に基づいて距離Ｒを算出してもよい。
【数４】
2008301412.tif 000006
【００６１】
ここで、（４）式において、“ｒ”は、予め規定される距離を示す定数であり、“α”は、無線基地局２０が設けられている地域の「人口密度」等の地域条件に応じて定められる調整用のパラメータ値である。また、パラメータ値“α”は、「人口密度」が大きいほど大きい値に設定される。なお、「人口密度」は、あくまで一例であり、「商業地域」、「居住地域」など、無線基地局２０が設けられている地域の地域条件に基づいてパラメータ値“α”は設定されてもよい。
【００６２】
さらに、パラメータ値“α”は、所定期間（数時間、数日、数週間、数ヶ月）毎に変化するように構成されていてもよい。例えば、パラメータ値“α”は、一日の時間帯の中で、昼間の時間帯では、大きな値とし、夜間の時間帯は小さな値に変化するように構成されていてもよい。この場合、図１に示すように、サービス制御装置２００に設けられているエリア設定部２６０が、上記（４）式から、時間帯の変化に応じて距離Ｒを算出する。そして、エリア設定部２６０が、算出した距離Ｒの範囲内に少なくとも一部が含まれる地域識別情報と、無線基地局２０の無線基地局識別情報とを対応付けて、エリア情報記憶部２１０に記憶する。
【００６３】
本実施形態に係るメッセージ配信システム１においても、上述した第２実施形態と同様の効果を奏することができる。
【００６４】
［第３実施形態］
本発明の第３実施形態に係るメッセージ配信システム１の構成について、第１実施形態との相違点に着目して説明する。本実施形態では、エリア情報記憶部２１０に記憶される地域識別情報とエリア情報との対応付ける際の設定方法が、第１実施形態に係るエリア情報記憶部２１０と異なる。
【００６５】
本実施形態に係るエリア情報記憶部２１０では、無線エリアは、無線基地局２０全体の無線領域を分割したセクタ単位で設けられており、セクタの中心位置が含まれる地域を識別する地域識別情報と、セクタとを対応付けて記憶する。
【００６６】
例えば、図７に示すように無線基地局２０_３が存在する場合、本実施形態に係るエリア情報記憶部２１０では、セクタ中心位置００１乃至００３、００６とが含まれるＡ市の地域識別情報“００００１”と、無線基地局２０_３のセクタを識別するセクタ識別情報“Ｓ０１乃至Ｓ０３”と“Ｓ０６”とが対応付けて記憶される。さらに、エリア情報記憶部２１０では、セクタ中心位置００４乃至００５の位置とが含まれるＢ市の地域識別情報“００００２”と、無線基地局２０_３のセクタを識別するセクタ識別情報“Ｓ０４乃至Ｓ０５”とが対応付けて記憶される。このようにして、エリア情報記憶部２１０には、図１１に示すように、Ａ市の地域識別情報“００００１”とＢ市の地域識別情報“００００２”と、それぞれにセクタの中心位置が含まれるセクタ識別情報とが対応付けて記憶される。
【００６７】
（作用及び効果）
本実施形態に係るメッセージ配信システム１によれば、エリア情報記憶部２１０では、地域を識別する地域識別情報と、無線基地局２０の各セクタを識別するセクタ識別情報とを対応付けて記憶されるので、当該メッセージを送信する無線エリアと地域との領域を、より細かく、かつ正確に対応付けることができる。よって、行政管理地域内に、より正確に対応付けされた無線エリアにメッセージを配信することができる。
【００６８】
（第３実施形態に係る変形例）
本発明は、上述した実施形態に限定されるものではなく、種々の変更が可能である。例えば、エリア情報記憶部２１０は、セクタの中心位置から所定距離の範囲内に少なくとも一部が含まれる地域を識別する地域識別情報と、セクタとを対応付けて記憶するように構成されていてもよい。具体的に、エリア情報記憶部２１０は、セクタの中心位置（Ｌｎｇ１、Ｌａｔ１）から、予め規定される距離Ｒ（所定距離）の範囲内に少なくとも一部が含まれる地域の地域識別情報と、セクタとを対応づけて記憶する。
【００６９】
ここで、例えば、図１２に示すように無線基地局２０_３が存在する場合に、無線基地局２０_３のセクタＳ０５に着目して説明する。本実施形態に係るエリア情報記憶部２１０では、セクタの中心位置“００５（Ｌｎｇ１、Ｌａｔ１）”から距離Ｒの範囲内に少なくとも一部が含まれるＡ市の地域識別情報“００００１”と、Ｂ市の地域識別情報“００００２”と、セクタ識別情報“Ｓ０５”とが対応付けて記憶される。また、エリア情報記憶部２１０では、他のセクタについても、セクタを識別するセクタ識別情報と、セクタの中心位置から距離Ｒの範囲内に少なくとも一部が含まれるＡ市又はＢ市の地域識別情報とが対応付けて記憶される。
【００７０】
なお、距離Ｒは、無線基地局２０の位置（Ｌｎｇ０、Ｌａｔ０）から、セクタの中心位置（Ｌｎｇ１、Ｌａｔ１）までの距離としてもよい。また、上述した第２実施形態に係る変形例のように、セクタの中心位置が存在する地域の「人口密度」等の地域条件に応じて、上記（４）式に基づいて距離Ｒを算出するように構成されていてもよい。また、上記（４）式において、パラメータ値“α”は、所定期間（数時間、数日、数週間、数ヶ月）毎に変化するように構成されていてもよい。この場合、図１に示すように、サービス制御装置２００に設けられているエリア設定部２６０が、上記（４）式から、時間帯の変化に応じて距離Ｒを算出する。そして、エリア設定部２６０が、セクタを識別するセクタ識別情報と、算出した距離Ｒの範囲内に少なくとも一部が含まれる地域識別情報とを対応付けて、エリア情報記憶部２１０に記憶する。
【００７１】
本実施形態に係るメッセージ配信システム１においても、上述した第３実施形態と同様の効果を奏することができる。
【００７２】
［第４実施形態］
本発明の第４実施形態に係るメッセージ配信システム１の構成について説明する。本実施形態では、端末装置１０の構成が第１実施形態と異なる。例えば、図１３に示すように、無線基地局２０_３の無線領域が、Ａ市とＢ市とに跨っている場合、端末装置１０_１は、Ｂ市に存在する場合であっても、Ａ市に一斉配信されたメッセージを受信し、このメッセージを端末装置１０_１のユーザに通知してしまうことも想定される。本実施形態に係る端末装置１０は、Ａ市又はＢ市に一斉配信されたメッセージを選別する機能を備える。
【００７３】
具体的に、図１４に示すように、端末装置１０は、選別部１０ａと表示部１０ｂとを備える。選別部１０ａは、一斉配信されたメッセージを受信し、当該メッセージがＡ市又はＢ市のいずれに配信されたメッセージであるかを選別する。ここで、選別部１０ａでは、端末装置１０が、現在、Ａ市又はＢ市の何れの地域に存在するかを、ユーザの入力によって判定するように構成されていてもよいし、予め記憶する地図情報とＧＰＳ機能によって測定した位置情報に基づいて判定するように構成されていてもよい。また、メッセージ配信システム１では、無線基地局２０が、Ａ市又はＢ市を識別する地域識別情報をメッセージと共に送信し、選別部１０ａは、受信した地域識別情報に基づいて、メッセージがＡ市又はＢ市のいずれに配信されたメッセージであるかを選別する。また、図１１を例に挙げると、選別部１０ａは、Ｂ市に配信されたメッセージを受信した場合のみ、表示部１０ｂに表示する。
【００７４】
（作用及び効果）
本実施形態に係るメッセージ配信システム１によれば、端末装置１０において、Ａ市又はＢ市の何れの地域に配信されたメッセージであるかを選別して表示するので、端末装置１０のユーザに対して、地域に配信されたメッセージをより適切に通知することができる。
【００７５】
［その他の実施の形態］
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７６】
例えば、上述した実施形態において、地域は、市区町村等の行政管理地域として説明したが、かかる地域は、野球場、スキー場などの地域としてもよい。
【００７７】
また、上述した実施形態では、セクタの中心位置や無線基地局２０の設置位置を代表位置として説明したが、当該代表位置は、セクタの中心位置のみとしてもよいし、無線基地局２０の設置位置のみとしてもよい。
【００７８】
また、セクタ内の代表位置は、中心位置に限定されるものではなく、例えば、セクタの端点等、他の位置としてもよい。また、セクタ内の代表位置は、一つに限定されず、複数設けてもよい。
【００７９】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００８０】
【図１】第１実施形態に係るメッセージ配信システムの全体概略構成を示す図である。
【図２】第１実施形態に係るエリア情報記憶部に記憶される情報を示す図である。
【図３】第１実施形態において、Ａ市及びＢ市の地域と無線基地局の無線領域との関係と、当該無線領域で待受状態の端末装置とを示すイメージ図である。
【図４】第１実施形態に係る無線基地局の物理的構成及び無線基地局から照射されるビーム範囲を示す図である。
【図５】第１実施形態に係る無線基地局の物理的構成及び無線基地局から照射されるビーム範囲を示す図である。
【図６】第１実施形態に係る無線基地局の物理的構成及び無線基地局から照射されるビーム範囲を示す図である。
【図７】第１実施形態に係る無線基地局の６つのセクタと、Ａ市及びＢ市との位置関係を示すイメージ図である。
【図８】第１実施形態に係るメッセージ配信システムの動作を示すフローチャートである。
【図９】第２実施形態に係るエリア情報記憶部に記憶される情報を示す図である。
【図１０】第２実施形態の変形例に係る無線基地局と、Ａ市及びＢ市との位置関係を示すイメージ図である。
【図１１】第３実施形態に係るエリア情報記憶部に記憶される情報を示す図である。
【図１２】第３実施形態の変形例に係る無線基地局の６つのセクタと、Ａ市及びＢ市との位置関係を示すイメージ図である。
【図１３】第４実施形態において、Ａ市及びＢ市の地域と無線基地局の無線領域との関係と、当該無線領域で待受状態の端末装置とを示すイメージ図である。
【図１４】第４実施形態に係る端末装置の構成を示す図である。
【符号の説明】
【００８１】
１…メッセージ配信システム、１０…端末装置、１０ａ…選別部、１０ｂ…表示部、２０…無線基地局、２０ａ…一斉配信部、１００…配信装置、１１０…エリア受付部、１２０…メッセージ配信要求信号送信部、２００…サービス制御装置、２１０…エリア情報記憶部、２２０…メッセージ配信要求信号受信部、２３０…配信エリア解析部、２４０…配信エリア特定部、２５０…メッセージ配信部、２６０…エリア設定部、Ｌ…境界線、Ｓ０１〜Ｓ０６…セクタ識別情報、Ｓ１０１乃至Ｓ１０７…ステップ、００１〜００６…セクタ中心位置、
【図１】
2008301412.tif 000007
【図２】
2008301412.tif 000008
【図３】
2008301412.tif 000009
【図４】
2008301412.tif 000010
【図５】
2008301412.tif 000011
【図６】
2008301412.tif 000012
【図７】
2008301412.tif 000013
【図８】
2008301412.tif 000014
【図９】
2008301412.tif 000015
【図１０】
2008301412.tif 000016
【図１１】
2008301412.tif 000017
【図１２】
2008301412.tif 000018
【図１３】
2008301412.tif 000019
【図１４】
2008301412.tif 000020